(57)【要約】【課題】ＭＬＭを採用した会員制販売システムにおいて、全ての紹介会員に対し、紹介報酬金の公平的な分配が可能であり、且つ、分配した紹介報酬金が予め決められた紹介報酬金原資枠に収まるようにした紹介報酬算出装置、方法及びプログラムを提供する。【解決手段】紹介報酬金原資枠を集計期間毎の全体の売上金額に対する所定の割合から算出する紹介報酬金原資枠算出手段と前記紹介報酬金原資枠を所定の基準で更に複数の基準還元枠に細分化する基準還元枠生成手段と前記所定の基準とサイクルポイントによって反映される前記会員の販売実績をもって、前記各基準還元枠に当てはまる紹介報酬金からの比例配分を当該会員の基準還元枠紹介ボーナスとしてそれぞれ算出する基準還元枠紹介ボーナス算出手段と算出された各基準還元枠紹介ボーナスの合計を当該会員が受け取るべきのワンナリーボーナスとするワンナリーボーナス算出手段とを備えた。【選択図】  図３
2005004309.tif 000002
【特許請求の範囲】
【請求項１】
全ての会員が登録順に１本のラインに並ぶといった組織構造を採用するマルチ・レベル・マーケティング会員制販売システムにおける紹介報酬算出装置であって、
表示装置と入力装置とメモリ装置と出力装置と処理装置とから構成され、
前記処理装置は、
紹介報酬金原資枠を集計期間毎の前記会員制販売システム全体の売上金額に対する所定の割合から算出する紹介報酬金原資枠算出手段と、
前記紹介報酬金原資枠を所定の基準で更に複数の基準還元枠（報酬プラン）に細分化する基準還元枠生成手段と、
前記所定の基準とサイクルポイントによって反映される前記会員の販売実績をもって、前記各基準還元枠に当てはまる紹介報酬金からの比例配分を当該会員の基準還元枠紹介ボーナスとしてそれぞれ算出する基準還元枠紹介ボーナス算出手段と、
算出された各基準還元枠紹介ボーナスの合計を当該会員が受け取るべきのワンナリーボーナスとするワンナリーボーナス算出手段と、
を備えたことを特徴とする紹介報酬算出装置。
【請求項２】
全ての会員が登録順に１本のラインに並ぶといった組織構造を採用するマルチ・レベル・マーケティング会員制販売システムにおける紹介報酬算出装置に用いられる紹介報酬算出方法であって、
紹介報酬金原資枠を集計期間毎の前記会員制販売システム全体の売上金額に対する所定の割合から算出する紹介報酬金原資枠算出手順と、
前記紹介報酬金原資枠を所定の基準で更に複数の基準還元枠（報酬プラン）に細分化する基準還元枠生成手順と、
前記所定の基準とサイクルポイントによって反映される前記会員の販売実績をもって、前記各基準還元枠に当てはまる紹介報酬金からの比例配分を当該会員の基準還元枠紹介ボーナスとしてそれぞれ算出する基準還元枠紹介ボーナス算出手順と、
算出された各基準還元枠紹介ボーナスの合計を当該会員が受け取るべきのワンナリーボーナスとするワンナリーボーナス算出手順と、
を備えることを特徴とする紹介報酬算出方法。
【請求項３】
前記所定の基準は紹介人数である請求項２に記載の紹介報酬算出方法。
【請求項４】
請求項２又は請求項３に記載された紹介報酬算出方法をコンピュータに実行させることを特徴とするプログラム。
【発明の詳細な説明】
【０００１】
【発明の属する技術分野】
本発明は、ＭＬＭ（マルチ・レベル・マーケティング）を採用している会員制販売システムにおける紹介報酬算出装置、紹介報酬算出方法及びプログラムに関する。
【０００２】
【従来の技術】
従来、商品販売システムとして、小売販売システムの他に、例えば通信販売システムがある。この通信販売システムは、商品を販売する販売会社に対し、商品の購入者が例えばインターネット、ファクシミリ、Ｅメール、電話などの通信手段を介して商品購入を申込むことによって、個別の商品売買が行われているに過ぎない。しかしながら、このような販売システムでは、良質な商品又は好評判の商品を一般消費者に速やかに頒布させ且つ普及させるには、相当時間を要することになるという問題点が有った。
【０００３】
また、一方、従来、商品の販売において、商品を購入し、実際に使用してその優れた効能・性能などを体験した消費者に、周囲の知人・友人等に紹介販売を依頼するネットワーク・ビジネス或いはコミュニケーション・ビジネスと呼ばれている販売形態があり、つまりＭＬＭ（マルチ・レベル・マーケティング）を採用している会員制販売システムも多数存在していた。具体的な例としては、例えば、全ての会員が登録順に１本のラインに並ぶといった組織構造を採用するＭＬＭ会員制販売システム（ワンナリー）、直接に紹介した人数や売上やタイトル等によって会員が得られる報酬が変るといった報酬プランを有するＭＬＭ会員制販売システム（ブレイクアウェイ・ユニレベル）、そして自分の基点から左右２つの子供を付けることによって、組織が構築され、所定の報酬プランによっての還元がなされるＭＬＭ会員制販売システム（バイナリー・マトリックス）がある。
【０００４】
このように知人・友人等の紹介の連鎖（ネットワーク）を利用することにより、多額の広告宣伝費や、店舗投資、販売網を用いずに少ない流通経費で効率的に直接販売することができ、消費者と販売事業者の双方にとって理想的な消費者参加型の販売形態の一つであることは言うまでもない。
このようなＭＬＭ（マルチ・レベル・マーケティング）を採用する会員制販売システム（以下単に会員制販売システムと称することもある）は、一般的に次のような仕組みになっている。
【０００５】
会員になろうとする者は、所定商品を販売する販売会社が運営する会員制販売システムに、所定商品を購入し且つ会員登録手続を行なうことによって、当該会員制販売システムの会員になる。さらに、会員制販売システムの会員は、紹介会員（ディストリビューターとも称する）と被紹介会員とに分けることができる。紹介会員とは、既に所定商品を購入し、且つ新たな商品の購入者を紹介した会員を意味する。また、被紹介会員とは、紹介会員に紹介され、且つ、商品を購入した会員を意味する。
【０００６】
要するに、会員制販売システムとは、既に商品を購入した会員（紹介会員）が新たな会員を紹介し、且つ紹介された会員（被紹介会員）が現実に商品を購入した場合には、当該紹介会員に対し、所定の報酬規定に従って一定の紹介報酬金が分配される販売システムである。このような仕組みによって、紹介会員は良質な商品を会員価格で購入できると共に、被紹介会員を紹介することに対しての対価（つまり紹介報酬或いはボーナス）を得ることも可能である。
【０００７】
しかしながら、上述した従来のＭＬＭを採用した会員制販売システムにおいては、全ての会員が登録順に１本のラインに並ぶといった組織構造を採用するＭＬＭ会員制販売システム（ワンナリー）以外では、紹介会員が自ら被紹介会員を含む独自の会員組織、つまり被紹介者が紹介者となり、それを繰り返すことによりできる組織を構築できなければ、対価を得ることはできない。
【０００８】
それならば単純に全て、上記ＭＬＭ会員制販売システム（ワンナリー）を採用すれば良いということになりそうであるが、以下の問題点を包含しているが故に上記ＭＬＭ会員制販売システム（ワンナリー）は普及することが大変難しいとされてきた。
【０００９】
上記ＭＬＭ会員制販売システム（ワンナリー）の問題点は、各紹介会員に対する紹介報酬金が所定の割合（％）以上の購入仕切率によって計算されているため、中途段階に介在する紹介会員が一定の人数を超えた場合には、全員の紹介会員に対し、紹介報酬金を分配することが不可能となったり、つまり紹介報酬金の過払いによる会員制販売システムが破綻してしまうという問題が発生していた。
【００１０】
一般にＭＬＭを採用した会員制販売システムの場合、会員登録が早ければそれだけ有利のように思われているが、早期絶対有利は破綻式無限連鎖講の特徴であり、永続式有限連鎖講の場合には必ずしも該当しない。これを会員制販売システムを運営する販売会社側から発想すれば、先者有利な会員制販売システムでは、やがて裾野の広がりが難しくなることが自明であり、如何にして後から参加する者にも公平な会員制販売システムを用意するかが大きな関心事であり、紹介報酬算出方法（ビジネスプランとも称する）に色々と工夫されている。例えば、このような問題を解決するために、特許文献１に開示された「購入者が新たな購入者を紹介することができる商品販売システム」では、バイナリー・マトリックス方式を採用した紹介報酬算出方法がある。
【００１１】
【特許文献１】
特開２００２−１０９１８８号公報
【００１２】
【発明が解決しようとする課題】
本発明は上述のような事情よりなされたものであり、本発明の目的は、ＭＬＭを採用した会員制販売システムにおいて、被紹介会員が商品を購入した場合、その中途段階に多数の紹介会員が介在したとしても、全ての紹介会員に対し、紹介報酬金の公平的な分配が可能であり、且つ、分配した紹介報酬金が予め決められた紹介報酬金原資枠に収まるようにする、会員制販売システムにおける紹介報酬算出装置、紹介報酬算出方法及びプログラムを提供することにある。
【００１３】
【課題を解決するための手段】
本発明は、全ての紹介会員に対し、紹介報酬金の公平的な分配が可能となるＭＬＭ会員制販売システム（ワンナリー）において、これまで各紹介会員に対する紹介報酬金が所定の割合（％）以上の購入仕切率によって計算されているため、中途段階に介在する紹介会員が一定の人数を超えた場合には、全員の紹介会員に対し、紹介報酬金を分配することが不可能となったり、つまり紹介報酬金の過払いによる会員制販売システムが破綻してしまうという問題が発生していたことに対して、予め紹介報酬金原資枠を売上金額に対する所定の割合（％）から算出し、それを紹介報酬金を受け取る条件（例えば紹介人数）により比例配分することによって、公平な紹介報酬金の分配の実現と紹介報酬金の過払いの防止という、これまで実現できなかった目的が達成される。
【００１４】
より詳しく説明すると、本発明は、ＭＬＭ（マルチ・レベル・マーケティング）を採用している会員制販売システムにおける紹介報酬算出装置、紹介報酬算出方法及びプログラムに関し、本発明の目的は、全ての会員が登録順に１本のラインに並ぶといった組織構造を採用するマルチ・レベル・マーケティング会員制販売システムにおける紹介報酬算出装置に用いられる紹介報酬算出方法であって、紹介報酬金原資枠を集計期間毎の前記会員制販売システム全体の売上金額に対する所定の割合から算出する紹介報酬金原資枠算出手順と、前記紹介報酬金原資枠を所定の基準で更に複数の基準還元枠（報酬プラン）に細分化する基準還元枠生成手順と、前記所定の基準とサイクルポイントによって反映される前記会員の販売実績をもって、前記各基準還元枠に当てはまる紹介報酬金からの比例配分を当該会員の基準還元枠紹介ボーナスとしてそれぞれ算出する基準還元枠紹介ボーナス算出手順と、算出された各基準還元枠紹介ボーナスの合計を当該会員が受け取るべきのワンナリーボーナスとするワンナリーボーナス算出手順とを備えることにより、或いは、前記所定の基準は紹介人数であるようにすることによって達成される。
【００１５】
【発明の実施の形態】
以下、本発明の実施の形態を図面を参照して詳細に説明する。
【００１６】
本発明に係る会員制販売システムでは、マルチ・レベル・マーケティングのネットワークの組織構築（つまり、紹介者ライン）は、図１に示されるように、Ａさん、Ｂさん、Ｃさん、Ｄさん、Ｅさん、Ｆさん、Ｇさん……ＺＺＺさんといった登録順に１系列（つまり１本ライン）上にストレートに構築されている。要するに、本発明に係る会員制販売システムでは、ワンナリーと呼ばれる組織構造を有する。
【００１７】
図１の紹介者ラインをより詳細に説明すると、つまり、Ａさんは紹介者ラインの先頭に立つ人物で、そのＡさんはＢさんとＤさんとを紹介した。ＡさんはＢさんとＤさんの紹介者で、ＢさんとＤさんはＡさんに紹介される被紹介者である。図中の矢印は紹介者と被紹介者との関連付けを示す。また、ＢさんはＣさんとＥさんを紹介した。ＢさんはＣさんとＥさんの紹介者で、ＣさんとＥさんはＢさんに紹介される被紹介者である。図示されたように、本発明に係る会員制販売システムにおいて、会員の位置（ポジション）は紹介者・被紹介者の関連付けに関係なく会員登録順によって決定され、会員の紹介が行われるたびに、組織はストレートに伸びていくようになっている。
【００１８】
本発明に係る会員制販売システムにおける紹介報酬算出装置は、図２のブロック図に示されるように、表示装置と、入力装置と、メモリ装置と、出力装置と、処理装置とから構成される。本発明に係る紹介報酬算出方法は、前記紹介報酬算出装置に用いられている。会員制販売システムにおいて、会員登録は上記紹介報酬算出装置によって行われることも可能である。
【００１９】
本発明に係る会員制販売システムにおいて、自分からの全ての会員はボーナス対象のダウンライン（ダウンメンバー）になる。本実施例において、紹介報酬を１ヶ月毎に計算するので、要するに、集計期間は１ヶ月である。
【００２０】
本発明に係る紹介報酬算出方法は、所定の商品を販売する販売会社全体の売上金額に基づいて、その売上金額より下回る還元枠（つまり紹介報酬金原資枠）を予め設定し（例えば、売上金額の３０％を紹介報酬金原資枠とする）、その還元枠を所定の基準（例えば、紹介人数）で更に細分化する。所定の基準で細分化された複数の基準還元枠の中で（例えば、一つの例として、紹介報酬金原資枠を「１人紹介ができた」紹介報酬金原資枠と、「２人紹介ができた」紹介報酬金原資枠とに細分化されたことを想定する）、各会員は自分の実績（紹介人数とサイクルポイント）をもって、各基準還元枠（本例では、「１人紹介ができた」紹介報酬金原資枠と、「２人紹介ができた」紹介報酬金原資枠）に当てはまるポイント（ワンナリーボーナス）からの比例配分を受け取ることを最大の特徴としている。
【００２１】
より詳細に説明すると、一つの例として、会員制販売システムに登録している会員数は全部で１０万人である。紹介報酬を計算するための集計期間を１月とする。１ヶ月において、会員全員は一つの商品を購入した。つまり、説明を簡略化にするために、会員全員はアクティブ会員であることを想定する。よって、以下、アクティブ会員を会員とも称する。ここでは、商品の売上金額の３０％を紹介報酬金原資枠とする。紹介人数を基準とし、紹介報酬金原資枠を「１人紹介ができた」紹介報酬金原資枠と、「２人紹介ができた」紹介報酬金原資枠とに分ける。更に、商品の売上金額の２０％を「１人紹介ができた」紹介報酬金原資枠とし、商品の売上金額の１０％を「２人紹介ができた」紹介報酬金原資枠とする。つまり、「１人紹介ができた」紹介報酬金原資枠と「２人紹介ができた」紹介報酬金原資枠とを合わせると、紹介報酬金原資枠になるように構成されている。各会員は自分の実績（紹介人数とサイクルポイント）によって、ワンナリーボーナスを獲得することが可能である。
本発明に係る会員制販売システムにおける紹介報酬算出方法では、例えば某会員の紹介報酬（つまりワンナリーボーナス）を計算する際に、必要なサイクルは次のように決定される。実際の報酬プランは、複数段階の報酬プランで構成されるが、説明を簡単化にするため、本実施例において、以下のように２段階の報酬プランがあるものとする。
【００２２】
図３は、本発明に係るマルチ・レベル・マーケティング会員制販売システムにおける紹介報酬算出方法を説明するための模式図である。つまり、会員Ａさんの紹介報酬を算出するための紹介報酬算出方法を模式的に示してある。なお、本例では、サイクルを１００人毎に区切るようにしているが、１サイクルの人数は１００人に限られることはなく、会員制販売システムの総会員数などによって、例えば１５０人とか、５０人とかにするようにしても良い。
【００２３】
図３に示されたように、まず、「報酬１」という報酬プランは、１人目紹介の位置から１００人毎にサイクルポイントを１ポイント獲得とし、売上金額の２０％を原資として１人目紹介を達成された会員のサイクルポイントの総合計を原資として各会員に獲得ポイントで比例配分する。
【００２４】
次に、「報酬２」という報酬プランは、２人目紹介の位置から１００人毎にサイクルポイントを１ポイント獲得とし、売上金額の１０％を原資として２人目紹介を達成された会員のサイクルポイントの総合計を原資として各会員に獲得ポイントで比例配分する。
【００２５】
そして、集計期間毎に（本実施例では毎月月末に）、会員制販売システム全体の売上金額から２０％を「報酬１」プランの紹介報酬原資に充当し、また、会員制販売システム全体の売上金額の１０％を「報酬２」プランの紹介報酬原資に充当する。
【００２６】
図３は、１人目紹介及び２人目紹介から起算したサイクルポイント算出の考え方を模式的に説明しており、本例では被紹介者から１００人目で１ポイント加算される様を表している。Ａさんは、２番さんと５番さんの２名を紹介したとする。
【００２７】
図３に示されたように、Ａさんの１人目紹介である２番さんから１００人目の１０２番さんが登録されると、Ａさんは１人目紹介で１サイクル達成したことになり、従って「報酬１」プランにより１ポイントを獲得する。また、２０２番さんが会員登録された場合は、１人目紹介で更に１サイクル達成するので、「報酬１」プランにより更に１ポイントを獲得し、このようにして、会員制販売システムに新会員が登録された都度、１００人を区切りに、１人目紹介でサイクル達成を繰り返していき、よってポイント数もどんどん増えて行く。
【００２８】
同じように、Ａさんの２人目紹介である５番さんから１００人目の１０５番さんが登録されると、Ａさんは２人目紹介で１サイクル達成したことになり、従って「報酬２」プランにより１ポイントを獲得する。また、２０５番さんが会員登録された場合は、２人目紹介で更に１サイクル達成するので、「報酬２」プランにより更に１ポイントを獲得し、このようにして、会員制販売システムに新会員が登録された都度、１００人を区切りに、２人目紹介でサイクル達成を繰り返していき、よってポイント数もどんどん増えて行く。
【００２９】
紹介報酬の計算は集計期間の期限（本例では月締め）を切って実行する。この例では、下記数１及び数２に表されるような紹介報酬が発生することになる。
【００３０】
【数１】
2005004309.tif 000003
【数２】
2005004309.tif 000004
従って、Ａさんは上記の「報酬１」プランと「報酬２」プランの合計した金額を報酬として受け取ることになる。
【００３１】
本発明に係る紹介報酬算出方法では、商品の集計期間毎の総売上金額からの一部（例えば、総売上金額の５０％といった割合）を紹介報酬（ボーナス）の原資としているので、前述した従来の会員制販売システムによく発生していた紹介報酬（ボーナス）の過払いによる会員制販売システムの破綻が、生じない。また、本発明に係る紹介報酬算出方法において、早く会員登録しても、報酬プランで定めた被紹介者の登録が遅い場合は、遅く会員登録して報酬プランで定めた被紹介者を早く登録するほうが報酬が多くなるため、早ければ良いと言う報酬プランとは異なり、従来の会員制販売システムが採用した報酬プランに比べると、飛躍的に公平性が改善されていることは明らかである。
【００３２】
本発明に係る紹介報酬算出方法において、もう一つの実施例を以下に示す。本実施例において、紹介報酬（ワンナリーボーナス）はさらに細分化して、「ＧＥＴ２ボーナス」、「ＧＥＴ３ボーナス」、「ＧＥＴ５ボーナス」、「ＧＥＴ１０ボーナス」、「ＧＥＴ１５ボーナス」、「ＧＥＴ２０ボーナス」に分けるものとする。
【００３３】
具体的に、「ＧＥＴ２ボーナス」というボーナス取得の資格条件は直接２人の紹介ができたことである。売り上げの２０％をこの「ＧＥＴ２ボーナス」の有資格者のポイントで比例配分する。
【００３４】
「ＧＥＴ３ボーナス」というボーナス取得の資格条件は直接３人の紹介ができたことである。売り上げの１０％をこの「ＧＥＴ３ボーナス」の有資格者のポイントで比例配分する。
【００３５】
「ＧＥＴ５ボーナス」というボーナス取得の資格条件は直接５人の紹介ができたことである。売り上げの４％をこの「ＧＥＴ５ボーナス」の有資格者のポイントで比例配分する。
【００３６】
「ＧＥＴ１０ボーナス」というボーナス取得の資格条件は直接１０人の紹介ができたことである。売り上げの２％をこの「ＧＥＴ１０ボーナス」の有資格者のポイントで比例配分する。
【００３７】
「ＧＥＴ１５ボーナス」というボーナス取得の資格条件は直接１５人の紹介ができたことである。売り上げの１％をこの「ＧＥＴ１５ボーナス」の有資格者のポイントで比例配分する。
【００３８】
「ＧＥＴ２０ボーナス」というボーナス取得の資格条件は直接２０人の紹介ができたことである。売り上げの１％をこの「ＧＥＴ２０ボーナス」の有資格者のポイントで比例配分する。
【００３９】
次に本発明に係る紹介報酬算出方法（ワンナリープラン）の一実施例（シミュレーション）を詳細に説明する。
【００４０】
条件としては、商品単価（ボーナス原資）を＄１００に設定したシミュレーションで、ボーナス計算は＄１＝１Ｐ（ポイント）として計算する。会員販売システムの全会員数が１０万人で、総売上は＄１０，０００，０００である場合を考える。
【００４１】
２人紹介ボーナスの原資枠は総売上の２０％で、＄２，０００，０００になる。
【００４２】
３人紹介ボーナスの原資枠は総売上の１０％で、＄１，０００，０００になる。
【００４３】
５人紹介ボーナスの原資枠は総売上の４％で、＄４００，０００になる。
【００４４】
１０人紹介ボーナスの原資枠は総売上の２％で、＄２００，０００になる。
【００４５】
１５人紹介ボーナスの原資枠は総売上の１％で、＄１００，０００になる。
【００４６】
２０人紹介ボーナスの原資枠は総売上の１％で、＄１００，０００になる。
【００４７】
ここでのポイントは仮想の数値であるから、実際とは異なる場合がある。しかし、計算の基本概念を伝える手段としてシミュレーションする。２人紹介者達成者のポイントには、２人以上を紹介した全ての会員のポイントが加算されている。３人紹介者の達成ポイントには、３人以上を紹介した全ての会員のポイントが加算されている。
【００４８】
２人紹介達成者の合計ポイントは１２３０００Ｐで、３人紹介達成者の合計ポイントは２００００Ｐで、５人紹介達成者の合計ポイントは１００００Ｐで、１０人紹介達成者の合計ポイントは３０００Ｐで、１５人紹介達成者の合計ポイントは２０００Ｐで、２０人紹介達成者の合計ポイントは１０００Ｐである。以上をまとめると、全ての会員が獲得したポイントの合計は１６００００Ｐになる。
【００４９】
［Ａ］さん〜［Ｇ］さんは会員制販売システムに登録した全ての会員の中からランダムに抽出した会員（アクティブ会員）である。［Ａ］さん、［Ｂ］さん、［Ｃ］さん、［Ｄ］さん、［Ｅ］さん、［Ｆ］さん、［Ｇ］さんがそれぞれ獲得したワンナリーボーナスの内訳を下記表１、表２、表３、表４、表５、表６及び表７にそれぞれ示してある。
【００５０】
【表１】
2005004309.tif 000005
【表２】
2005004309.tif 000006
【表３】
2005004309.tif 000007
【表４】
2005004309.tif 000008
【表５】
2005004309.tif 000009
【表６】
2005004309.tif 000010
【表７】
2005004309.tif 000011
なお、本発明において、「商品購入」という場合、物である商品のみならず、サービスの提供をうける場合も含むものとする。また、「紹介報酬（ワンナリーボーナス、或いはポイント）」とは、所定の基準（例えば紹介人数）に応じて付与されるポイント（点数）であり、上記の実施例では、１Ｐ（ポイント）＝＄１を示したが、ポイントはそれに限られることなく、例えば所定の換算率で種々の商品、サービス、値引き、預金、購買券等と交換可能な特典が得られるものであるようにしても良い。
【００５１】
なお、上記の紹介報酬算出方法は、コンピュータによって実現することができる。その場合、紹介報酬算出方法が有すべき手順の処理内容は、コンピュータで読みとり可能な記録媒体に記録されたプログラムに記述しておく。そして、このプログラムをコンピュータで実行することにより、上記処理がコンピュータで実現される。コンピュータで読みとり可能な記録媒体としては、磁気記録装置や半導体メモリ等がある。市場に流通させる場合には、ＣＤ−ＲＯＭ（Ｃｏｍｐａｃｔ  Ｄｉｓｋ  Ｒｅａｄ  Ｏｎｌｙ  Ｍｅｍｏｒｙ）やフロッピー（登録商標）ディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００５２】
【発明の効果】
本発明に係るマルチ・レベル・マーケティング会員制販売システムにおける紹介報酬算出装置、紹介報酬算出方法及びプログラムによれば、マルチ・レベル・マーケティング（ＭＬＭ）会員制販売システムにおいて、これまで実現できなかった公平な紹介報酬金の分配の実現を可能にしたと共に、紹介報酬金の過払いの防止をも実現したという優れた効果を奏する。
【図面の簡単な説明】
【図１】本発明に係るマルチ・レベル・マーケティング会員制販売システムの組織構築（紹介者ライン）を説明するための模式図である。
【図２】本発明に係るマルチ・レベル・マーケティング会員制販売システムにおける紹介報酬算出装置のブロック図である。
【図３】本発明に係るマルチ・レベル・マーケティング会員制販売システムにおける紹介報酬算出方法を説明するための模式図である。
【図１】
2005004309.tif 000012
【図２】
2005004309.tif 000013
【図３】
2005004309.tif 000014